(57)【要約】      （修正有）【課題】どんな形状の物品でも簡単に包み込むことができ、かつ、容易に持ち運びすることを可能にする新規な包装運搬具を提供する。【解決手段】折り曲げ自在なシート状の網２と、当該網の網目を構成する糸状部材４ａ、４ｂと係合して、少なくとも１つの網目を構成する糸状部材と、他の１つの網目を構成する糸状部材とを係止する、１または複数の係止具３とからなる包装運搬具を提供する。【選択図】図１
0003137774.tif 000002
【実用新案登録請求の範囲】
【請求項１】
折り曲げ自在なシート状の網と、当該網の網目を構成する糸状部材と係合して、少なくとも１つの網目を構成する糸状部材と、他の１つの網目を構成する糸状部材とを係止することができる、１または複数の係止具とからなる、包装運搬具。
【請求項２】
係止具が、網目を構成する糸状部材と係合する曲折部を両端部に有する線状部材、網目を構成する糸状部材と係合する曲折部を両端部に有する板状部材、紐、および鎖から選ばれる１種または２種以上の係止具である請求項１記載の包装運搬具。
【請求項３】
網目を構成する糸状部材と係合する曲折部を有する取っ手をさらに備えている請求項１または２記載の包装運搬具。
【考案の詳細な説明】
【技術分野】
【０００１】
本考案は、どんな形状の物品でも簡単に包み込むことができ、かつ、容易に持ち運びすることが可能な、新規な包装運搬具に関する。
【背景技術】
【０００２】
従来より、我が国において慣用されている包装運搬具のひとつに風呂敷がある。風呂敷は、周知のとおり、略正方形の布からなり、この布で物品を包み込み、布の四隅を結んでほどけないようにするとともに、その結び目を手で掴む部分として利用して、物品を運搬する道具である。
【０００３】
しかし、風呂敷は、物品を包み込むに際し、四隅を結ばなければならず、結び合わせる作業が面倒である上に、形状がいびつな物品を包み込むのは困難で、熟練が必要である。さらに、風呂敷の場合、包み込む物品が小さいと風呂敷が余り、逆に大きいと、結びしろがなくなって、きちんと包み込むことができないという不便さがある。また、結び目の部分を手で掴む部分として利用するので、ややもすれば掴みづらく、物品を持ち運ぶのが容易でないという不都合もある。
【０００４】
これらの不都合を解消すべく、従来から様々な改良が提案されている。例えば、特許文献１には、風呂敷の布の対角線上に位置する２つの端部に把手を形成し、持ち運びを容易にした風呂敷が開示されている。しかし、この特許文献１に記載された風呂敷においても、把手が形成されていない対角線上の二隅同士は結び合わせなければならない上に、形状がいびつな物品を包み込むことは依然として困難である。
【０００５】
また、例えば、特許文献２には、風呂敷の四隅部に対角線上にスリットを設け、対角線上に位置する２つのスリット部分を中央で重ね合わせて物品を包み込み、この重ね合わされたスリットに、残る対角線上の二隅を下から上へと潜らせて、風呂敷がほどけないようにするとともに、下から上へと潜らせたスリットを取っ手として利用する風呂敷が提案されている。この特許文献２における風呂敷は、四隅を結び合わせる必要がないので、その点では便利であるものの、風呂敷の対角線上に設けられたスリットを取っ手として利用するため、重量物を運ぶ際にはその強度が問題であり、また、風呂敷の大きさに比べて余りに大きな物品や、形状がいびつな物品は包み込むことは困難である。
【特許文献１】特開２００６−８９０７９号公報
【特許文献２】実用新案登録第３１２９９４９号公報
【考案の開示】
【考案が解決しようとする課題】
【０００６】
本考案は、上記のような従来の風呂敷が有する欠点若しくは不都合を解消するために為されたもので、どんな形状の物品でも簡単に包み込むことができ、かつ、容易に持ち運びすることを可能にする、新規な包装運搬具を提供することを課題とするものである。
【課題を解決するための手段】
【０００７】
本考案は、折り曲げ自在なシート状の網と、当該網の網目を構成する糸状部材と係合して、少なくとも１つの網目を構成する糸状部材と、他の１つの網目を構成する糸状部材とを係止する、１または複数の係止具とからなる、包装運搬具を提供することによって、上記の課題を解決するものである。
【０００８】
本考案の包装運搬具において、係止具は、本考案の包装運搬具における網の網目を構成する糸状部材と係合して、少なくとも１つの網目を構成する糸状部材と、他の１つの網目を構成する糸状部材とを係止することができるものであれば良く、その形状や材質はどのようなものであっても良い。好適な係止具としては、例えば、網目を構成する糸状部材と係合する曲折部を両端部に有する線状部材、網目を構成する糸状部材と係合する曲折部を両端部に有する板状部材、紐、または鎖などを挙げることができる。本考案の包装運搬具は、これらの係止具のうちの１種類のものだけを１個または２個以上有していても良いし、上記の係止具のうち複数種類のものを組み合わせて、２個以上有していても良い。
【０００９】
本考案の包装運搬具は、さらに、網目を構成する糸状部材と係合する曲折部を有する取っ手を備えることができる。本考案の包装運搬具が、取っ手を備えている場合には、係止具を利用して、網で物品を包み込んだ上で、その網の適宜の網目を構成する糸状部材にこの取っ手の曲折部を引っ掛けることによって、本考案の包装運搬具に取っ手を取り付けることができ、運搬の便を高めることができる。
【考案の効果】
【００１０】
本考案の包装運搬具によれば、物品を包み込むに際しては、シート状の網で物品を包み、その網の網目を構成する糸状部材同士を、適宜の位置で、１または複数個の係止具を用いて係止するだけで良く、従来の風呂敷のように四隅を結び合わせるという作業が不要であるので、物品を包み込む作業が極めて容易かつ簡便となるという利点が得られる。また、逆に、包装を解除して物品を取り出すに際しては、網目を構成する糸状部材同士を係止している係止具を取り外すだけで良く、従来の風呂敷のように結び目を解く作業が不要であるので、包装の解除も極めて容易であるという利点がある。このように、本考案の包装運搬具には、着脱性が抜群に良いという利点がある。さらに、本考案の包装運搬具は、不使用時には、網を丸めるか、折り畳むなどすれば、極めてコンパクトとなるので嵩張らず、１または複数の係止具とともに、鞄の隙間やポケットに入れて、随時携帯するのに便利である。
【００１１】
また、本考案の包装運搬具によれば、網の網目を構成する糸状部材同士を、適宜の１または複数の位置で、係止具によって、互いに係止して、物品を包み込むことができるので、形状がいびつな物品であっても、容易に、かつ安定した状態で包み込むことができるという利点が得られる。また、本考案の包装運搬具によれば、物品を包み込んでもなお網の大きさに余裕があり、端部が余る場合には、その端部を結ぶなどして、運搬時の取っ手として利用することができ、さらには、本考案の包装運搬具が、網目を構成する糸状部材と係合する曲折部を有する取っ手を備える場合には、取っ手を利用して、包み込んだ物品の運搬を容易に行えるという利点がある。
【考案を実施するための最良の形態】
【００１２】
以下、図面を用いて本考案を詳細に説明するが、本考案が図示のものに限られないことは勿論である。
【００１３】
図１は、本考案の包装運搬具の一例を示す図であり、符号１で示す本考案の包装運搬具は、シート状の網２と、複数の係止具３、３、３・・・とから構成されている。４ａ、４ａ、４ａ・・・および４ｂ、４ｂ、４ｂ・・・は、それぞれ、シート状の網２を構成する縦の糸状部材と、横の糸状部材であり、縦横の適宜の位置で互いに固定され、多数の網目を形成している。
【００１４】
網２は、シート状で、物品を包み込むことができる程度に折り曲げ自在な柔軟性を備えていれば良く、この柔軟性が確保される限り、網２を構成する糸状部材４ａ、４ａ、４ａ・・・および４ｂ、４ｂ、４ｂ・・・はどのような材料で構成されていても良いが、例えば、ナイロン、テトロン、ポリエチレン等の合成繊維や、綿、麻、絹等の天然繊維を使用することができる。
【００１５】
また、図示の例では、網２の形状は正方形であるが、網２の形状は正方形に限られず、三角形、四角形、五角形、六角形その他の多角形であっても良く、また、円形、楕円形、菱形等、シート状でありさえすれば、その形状に特段の制限はない。
【００１６】
係止具３、３、３・・・は、図示のとおり、Ｓ字状に形成された線状部材である。係止具３、３、３・・・は、その両端を糸状部材４ａ、４ａ、４ａ・・・または４ｂ、４ｂ、４ｂ・・・と係合させて、糸状部材同士を相互に係止するものであるので、ある程度の強度を備えていることが必要であるが、材質はどのようなものであっても良い。例えば、鉄、ステンレス等の金属や、プラスチックで形成することができる。図示の例では、係止具３の数は５個となっているが、係止具３の数は５個に限られず、４個以下であっても良いし、６個以上であっても良い。また、極端な場合には１個であっても良いが、物品を包んだ状態で、その包装が外れない程度に網２を固定するには、少なくとも複数程度はあった方が良い。
【００１７】
図２は、係止具３の他の例を示す図であり、（ａ）〜（ｄ）においては、左側に係止具の正面図を、右側に、左側面図を示してある。図２において、（ａ）に示す係止具は、線状部材ではなく、板状部材の両端部を曲折させて、Ｓ字状に形成されている。（ｂ）に示す係止具は、線状部材で長方形状の枠を作り、その両端部を曲折させて、Ｓ字状に形成されている。（ｃ）に示す係止具は、線状部材の両端部を曲折させて、Ｃ字状に形成した係止具である。（ｄ）に示す係止具は、リングの一部を切り欠いた形状の係止具である。これらの係止具は、図１に示す係止具３、３、３・・・と同様に、その曲折部を、網目を形成する糸状部材４ａ、４ａ、４ａ・・・または４ｂ、４ｂ、４ｂ・・・と係合させることによって、両者を係止して、網２による包装が外れないようにするものである。
【００１８】
また、図２の（ｅ）に示す係止具は、単なる紐であり、本考案においては、紐は、適宜の網目を潜らせて、両端部を結ぶことによって、係止具として使用することができる。また、図示はしていないけれども、鎖も、紐と同様に、適宜の網目を潜らせて、その両端部を結ぶか、或いは他の手段で固定することによって、本考案における係止具として使用することができる。このように、本考案における係止具としては、網２の網目を形成している糸状部材同士を適宜の位置で係止することができるものであれば良く、その形状や材質等に特段の制限はない。なお、以上のような種々の係止具は、その１種または２種以上を組み合わせて使用することも可能である。
【００１９】
次に、図面に基づいて、本考案の包装運搬具１の使用方法を説明する。
【００２０】
図３は、網２の上に、包装する物品５を載せた状態を示している。この状態で、通常の風呂敷であれば、四隅を結ぶ作業が必要となるのであるが、本考案の包装運搬具１においては、そのような作業は不要である。
【００２１】
すなわち、まず、図４に示すように、網２の例えば手前側を持ち上げて、物品５を包み、次に、図５に示すように、網２の向こう側を持ち上げて、先に物品５を包んだ手前側の網２に重ねて、物品５を二重に包み込む。この状態で、係止具３、３の一端部を上に重なった網２の適宜の糸状部材と係合させ、網２に適宜の張力を与えつつ、他端部を、下に位置する網２の適宜の糸状部材と係合させて、糸状部材同士を係止具３、３を用いて係止する。これで、網２は、物品５を前後から包んだ状態で固定されたことになる。
【００２２】
続いて、図６に示すように、網２の左右の端部を物品５の上に重ねて、左右からも物品５を包み込み、その状態で、さらに他の係止具３、３を用いて、左右から重ね合わせた網２に適宜の張力を与えつつ、左右から重ね合わせた網２の適宜の糸状部材と、下に位置する網２の適宜の糸状部材とを係止する。これで、網２は、物品５を、前後並びに左右から包み込んだことになる。
【００２３】
このように、本考案の包装運搬具１によれば、網２で物品５を包み込み、網目を構成する適宜の糸状部材同士を係止具３、３・・・を用いて係止するだけで物品５を包み込むことができ、従来の風呂敷のように、四隅を結び合わせる作用が不要であるので、作業が極めて簡単となる。また、図６に示したように、物品５の長さが比較的長くて、網２の左右の長さが足りず、通常の風呂敷であればその両端を結ぶことができない場合でも、本考案の包装運搬具１によれば、係止具３、３によって、網２の左右の端部を適宜の位置で係止することができる。このように、本考案の包装運搬具１によれば、包み込む物品５の大きさが比較的大きい場合でも、十分に包み込むことができる。包み込みを解除する場合には、係止具３、３、３・・・と糸状部材との係合を解けば良く、包まれていた物品５を極めて簡単に取り出すことができる。
【００２４】
また、図示はしないけれども、物品５の形状がいびつな場合であっても、本考案の包装運搬具１によれば、物品５の形状に合わせて網２を曲折させて物品５を包み、必要な数の係止具３、３、３・・・を用いて、適宜の位置で網２を構成する糸状部材同士を係止すれば、いびつな形状のままに物品５を包み込むことができるので、非常に便利である。
【００２５】
図７は、本考案の包装運搬具１の他の使用例を示す図である。図７において、物品５は、例えばペットボトルのような飲料容器であり、網２の網目の大きさが飲料容器の飲み口６よりも大きい場合には、図７に示すように、網２の網目から飲み口６を外部に突出させた状態で、包み込むことができる。この状態であれば、利用者は、網２による飲料容器の包装を解かずに、包み込まれている飲料容器から飲料を飲むことができるので非常に便利である。
【００２６】
図８〜図１１は、本考案の包装運搬具１によって包み込んだ物品５を持ち運ぶ場合の例を示している。すなわち、図８のように、物品５を包み込んだ網２の左右の長さに余裕がある場合には、左右の端部を結び合わせ、その部分を把持して運搬すれば良い。また、図９のように、物品５を包み込んだ網２の左右の長さに余裕がなく、左右の端部を結び合わせることができない場合には、さらに別の係止具３を用いて、左右の端部の糸状部材同士を係合させ、その部分を把持して運搬すれば良い。
【００２７】
さらに、物品５を包み込んだ網２の左右の長さに十分な余裕がある場合には、図１０に示すように、物品５を腰の後ろに位置させ、網２の左右の端部を腹部の前で結び合わせることによって、物品５を腰に取り付けた状態で運搬することができる。
【００２８】
また、図１１に示すように、本考案の包装運搬具１が、網目を構成する糸状部材と係合する曲折部を有する取っ手７を備えている場合には、その曲折部を物品５を包み込む網２の網目を構成する適宜の位置の糸状部材と係合させて、運搬の便を図ることができる。さらに、例えば、図６に示すように物品５を網２で包み込んだ状態で、紐またはベルトを網２の適宜の網目を潜らせて網２の糸状部材と係合させ、持ち運びのための手提げ紐や手提げベルトとしたり、肩に掛けたり、腰に巻いたりする紐またはベルトとして利用し、本考案の包装運搬具１によって包まれた物品を持ち運ぶことも随意である。
【産業上の利用可能性】
【００２９】
以上説明したように、本考案の包装運搬具によれば、物品を包み込むに際し、端部を結び合わせる作業が不要であり、物品の包み込み、およびその解除を極めて簡単に行うことができる。また、網を物品の形状に合わせて曲折させ、適宜の位置で係止することができるので、いびつな形状の物品であっても、簡単に、かつ安定した状態で包み込み、持ち運ぶことができる。このような本考案の包装運搬具がもたらす便利さには多大のものがあり、日常生活においてはもとより、ハイキング、サイクリング、キャンプ等のアウトドアライフにおいても、老若男女を問わずに利用することが可能である。
【図面の簡単な説明】
【００３０】
【図１】本考案の包装運搬具の一例を示す図である。
【図２】係止具の他の例を示す図である。
【図３】本考案の包装運搬具の使用方法を説明する図である。
【図４】本考案の包装運搬具の使用方法を説明する図である。
【図５】本考案の包装運搬具の使用方法を説明する図である。
【図６】本考案の包装運搬具の使用方法を説明する図である。
【図７】本考案の包装運搬具の他の使用例を示す図である。
【図８】本考案の包装運搬具によって物品を持ち運ぶ場合の一例を示す図である。
【図９】本考案の包装運搬具によって物品を持ち運ぶ場合の一例を示す図である。
【図１０】本考案の包装運搬具によって物品を持ち運ぶ場合の一例を示す図である。
【図１１】本考案の包装運搬具が取っ手を備える場合の一例を示す図である。
【符号の説明】
【００３１】
１            包装運搬具
２            網
３            係止具
４ａ、４ｂ    糸状部材
５            物品
６            飲み口
７            取っ手
【図１】
0003137774.tif 000003
【図２】
0003137774.tif 000004
【図３】
0003137774.tif 000005
【図４】
0003137774.tif 000006
【図５】
0003137774.tif 000007
【図６】
0003137774.tif 000008
【図７】
0003137774.tif 000009
【図８】
0003137774.tif 000010
【図９】
0003137774.tif 000011
【図１０】
0003137774.tif 000012
【図１１】
0003137774.tif 000013